(57)【要約】【課題】二次元画像区間と三次元画像区間とが混在する画像データの再生区間を規定する再生リストを生成することが可能な、情報処理装置、および情報処理方法を提供する。【解決手段】再生対象の画像データを示すタイトル情報を取得するタイトル情報取得部と、再生対象の画像データに対応する、画像における二次元画像区間と三次元画像区間とを示すインデックス情報を取得するインデックス情報取得部と、取得されたタイトル情報と、取得されたインデックス情報とに基づいて、再生対象の画像データを再生する再生区間を示す再生リストを生成する再生リスト生成部とを備える、情報処理装置が提供される。【選択図】図５
2013150038.tif 000002
【特許請求の範囲】
【請求項１】
再生対象の画像データを示すタイトル情報を取得するタイトル情報取得部と、
前記再生対象の画像データに対応する、画像における二次元画像区間と三次元画像区間とを示すインデックス情報を取得するインデックス情報取得部と、
取得された前記タイトル情報と、取得された前記インデックス情報とに基づいて、再生対象の画像データを再生する再生区間を示す再生リストを生成する再生リスト生成部と、
を備える、情報処理装置。
【請求項２】
前記再生リスト生成部が生成する前記再生リストは、再生対象の画像データを再生する際に一時的に用いられる、一時的な再生リストである、請求項１に記載の情報処理装置。
【請求項３】
前記再生リスト生成部が生成する前記再生リストは、二次元画像区間のみが再生される再生リスト、三次元画像区間のみが再生される再生リスト、または、二次元画像区間と三次元区間とが混在して再生される再生リストのうちの、１または２以上の再生リストである、請求項１に記載の情報処理装置。
【請求項４】
生成された再生リストに基づいて、再生対象の画像データを再生させる再生制御部をさらに備える、請求項１に記載の情報処理装置。
【請求項５】
再生対象の画像データを示すタイトル情報を取得するステップと、
前記再生対象の画像データに対応する、画像における二次元画像区間と三次元画像区間とを示すインデックス情報を取得するステップと、
取得された前記タイトル情報と、取得された前記インデックス情報とに基づいて、再生対象の画像データを再生する再生区間を示す再生リストを生成するステップと、
を有する、情報処理方法。
【発明の詳細な説明】
【技術分野】
【０００１】
本開示は、情報処理装置、および情報処理方法に関する。
【背景技術】
【０００２】
近年、立体テレビ放送において送信されるコンテンツや立体映画などのような、三次元（以下、「３Ｄ」と示す場合がある。）画像を含むコンテンツを表示可能な装置の普及が進んでいる。ここで、上記のようなコンテンツを示す画像データは、３Ｄ画像のみからなる画像を示す画像データに限られず、例えば、二次元（以下、「２Ｄ」と示す場合がある。）画像と３Ｄ画像とが混在する画像を示す画像データである場合もある。
【０００３】
このような中、３Ｄ画像を含む画像を処理する技術が開発されている。入力データを画像データと制御用データとに分離し、制御用データに基づいて、２Ｄ画像のみからなる画像データと３Ｄ画像のみからなる画像データとを生成する技術としては、例えば特許文献１に記載の技術が挙げられる。
【０００４】
また、例えばテレビ放送において送信されるコンテンツを示す画像データなどの画像データを記録媒体に記録し、記録媒体に記憶された画像データを再生してコンテンツを楽しむ利用態様が一般化している。
【０００５】
このような中、記録媒体に記憶された画像データの再生処理に関する技術が開発されている。記録媒体に記憶されているデータが示すコンテンツの中から特定の部分を抜き出し、抜き出された部分をつなぎ合わせて再生させることによって、当該コンテンツの要約を再生させる技術としては、例えば、特許文献２に記載の技術が挙げられる。
【先行技術文献】
【特許文献】
【０００６】
【特許文献１】特開２００５−０９４１４５号公報
【特許文献２】特開２００８−２０６０７６号公報
【発明の概要】
【発明が解決しようとする課題】
【０００７】
例えば特許文献１に記載の技術は、処理対象の入力データから制御用データを分離し、当該制御用データに基づいて２Ｄ画像のみからなる画像データと３Ｄ画像のみからなる画像データとを生成する。しかしながら、例えば特許文献１に記載の技術が用いられる場合、ユーザは、２Ｄ画像のみからなるコンテンツの再生を所望するときには、２Ｄ画像のみからなる画像データを再生させ、３Ｄ画像のみからなるコンテンツの再生を所望するときには、３Ｄ画像のみからなる画像データを再生させる必要がある。よって、例えば特許文献１に記載の技術を用いたとしても、二次元画像区間（２Ｄ画像部分）と三次元画像区間（３Ｄ画像部分）とが混在する画像データに基づいて、例えば、二次元画像区間のみの再生や三次元画像区間のみの再生などを実現することは、望むべくもない。
【０００８】
また、例えば特許文献２に記載の技術を用いることによって、記録媒体に記憶されているデータが示すコンテンツの中から特定の部分を抜き出して、コンテンツの要約を再生させることが可能である。しかしながら、例えば特許文献２に記載の技術では、記録媒体に記憶されているデータから、二次元画像区間と三次元画像区間とを抜き出すことについて、何らの考慮もなされていない。よって、例えば特許文献２に記載の技術を用いたとしても、二次元画像区間のみの再生や三次元画像区間のみの再生などを実現することは、望むべくもない。
【０００９】
本開示では、二次元画像区間と三次元画像区間とが混在する画像データの再生区間を規定する再生リストを生成することが可能な、新規かつ改良された情報処理装置、および情報処理方法を提案する。
【課題を解決するための手段】
【００１０】
本開示によれば、再生対象の画像データを示すタイトル情報を取得するタイトル情報取得部と、上記再生対象の画像データに対応する、画像における二次元画像区間と三次元画像区間とを示すインデックス情報を取得するインデックス情報取得部と、取得された上記タイトル情報と、取得された上記インデックス情報とに基づいて、再生対象の画像データを再生する再生区間を示す再生リストを生成する再生リスト生成部と、を備える、情報処理装置が提供される。
【００１１】
また、本開示によれば、再生対象の画像データを示すタイトル情報を取得するステップと、上記再生対象の画像データに対応する、画像における二次元画像区間と三次元画像区間とを示すインデックス情報を取得するステップと、取得された上記タイトル情報と、取得された上記インデックス情報とに基づいて、再生対象の画像データを再生する再生区間を示す再生リストを生成するステップと、を有する、情報処理方法が提供される。
【発明の効果】
【００１２】
本開示によれば、二次元画像区間と三次元画像区間とが混在する画像データの再生区間を規定する再生リストを生成することができる。
【図面の簡単な説明】
【００１３】
【図１】本実施形態に係る情報処理装置が生成する再生リストの概要を示す説明図である。
【図２】本実施形態に係るタイトル情報の一例を示す説明図である。
【図３】本実施形態に係るインデックス情報の一例を示す説明図である。
【図４】本実施形態に係る情報処理方法に係る処理の一例を示す流れ図である。
【図５】本実施形態に係る情報処理装置の構成の一例を示すブロック図である。
【図６】本実施形態に係る情報処理装置のハードウェア構成の一例を示す説明図である。
【発明を実施するための形態】
【００１４】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１５】
また、以下では、下記に示す順序で説明を行う。
１．本実施形態に係る情報処理方法
２．本実施形態に係る情報処理装置
３．本実施形態に係るプログラム
【００１６】
（本実施形態に係る情報処理方法）
本実施形態に係る情報処理装置の構成について説明する前に、本実施形態に係る情報処理方法について説明する。また、以下では、本実施形態に係る情報処理装置が、本実施形態に係る情報処理方法に係る処理を行うものとして説明する。
【００１７】
［１］本実施形態に係る情報処理方法の概要
上述したように、例えば特許文献１に記載の技術や特許文献２に記載の技術を用いたとしても、例えば、二次元画像区間のみの再生や三次元画像区間のみの再生などを実現することは、望むべくもない。
【００１８】
そこで、本実施形態に係る情報処理装置は、二次元画像区間と三次元画像区間とが混在する画像データの再生区間を規定する再生リストを生成する。ここで、本実施形態に係る画像データとしては、２Ｄ画像（静止画像／動画像）と３Ｄ画像（静止画像／動画像）とを示すデータが挙げられるが、本実施形態に係る画像データは、上記に限らない。例えば、本実施形態に係る画像データは、音声（音楽も含む）を示す音声データや、メタデータなどの様々なデータを含むデータであってもよい。
【００１９】
図１は、本実施形態に係る情報処理装置が生成する再生リストの概要を示す説明図である。ここで、図１に示す記録ストリームは、二次元画像区間と三次元画像区間とが混在する、再生対象の画像データの一例を示している。また、図１に示す再生リスト１は、二次元画像区間のみを再生させるための再生リストを示し、図１に示す再生リスト２は、三次元画像区間のみを再生させるための再生リストを示している。また、図１に示す再生リスト３は、二次元画像区間と三次元画像区間とを混在して再生させるための再生リストを示している。
【００２０】
例えば図１に示すように、本実施形態に係る再生リストとしては、例えば、二次元画像区間のみが再生される再生リスト、三次元画像区間のみが再生される再生リスト、二次元画像区間と三次元区間とが混在して再生される再生リストが挙げられる。ここで、本実施形態に係る情報処理装置は、二次元画像区間のみが再生される再生リスト、三次元画像区間のみが再生される再生リスト、二次元画像区間と三次元区間とが混在して再生される再生リストのうちの１つの再生リストを生成するが、本実施形態に係る情報処理装置における処理は、上記に限られない。例えば、本実施形態に係る情報処理装置は、上記本実施形態に係る再生リストのうちの、２つ以上の再生リストを生成してもよい。
【００２１】
例えば図１に示すような本実施形態に係る再生リスト１〜３が用いられることによって、再生対象の画像データが二次元画像区間と三次元画像区間とが混在する画像データであったとしても、再生対象の画像データを再生する処理を行う装置では、例えば下記の再生を実現することができる。なお、本実施形態に係る再生対象の画像データを再生する処理を行う装置は、例えば、本実施形態に係る情報処理装置であってもよいし、本実施形態に係る情報処理装置の外部装置であってもよい。
・三次元画像区間のみの再生（例えば図１に示す再生リスト１に基づく再生）
・二次元画像区間のみの再生（例えば図１に示す再生リスト２に基づく再生）
・二次元画像区間と三次元画像区間とが混在した再生（例えば図１に示す再生リスト３に基づく再生）
【００２２】
例えば三次元画像区間のみが再生されることによって、例えば、再生対象の画像データが示す画像をみるユーザにおける、３Ｄ画像の視聴に用いる３Ｄメガネの着脱操作が回避される。また、例えば二次元画像区間のみまたは三次元画像区間のみが再生されることによって、例えば、２Ｄ画像部分と３Ｄ元画像部分との切り替わり時において生じうる画像の乱れを回避することができる。さらに、本実施形態に係る再生リストに基づき再生対象の画像データが再生されることによって、ユーザは、例えば、自己の好みに応じて、再生対象の画像データが示す画像における２Ｄ画像部分のみや、３Ｄ元画像部分のみを視聴することが可能である。
【００２３】
したがって、本実施形態に係る情報処理装置が、本実施形態に係る再生リストを生成することによって、ユーザの利便性（またはユーザビリティ）の向上や、画像の再生品質の低下防止を図ることができる。
【００２４】
より具体的には、本実施形態に係る情報処理装置は、再生対象の画像データを示すタイトル情報を取得する（タイトル情報取得処理）。また、本実施形態に係る情報処理装置は、再生対象の画像データに対応する、画像における二次元画像区間と三次元画像区間とを示すインデックス情報を取得する（インデックス情報取得処理）。そして、本実施形態に係る情報処理装置は、取得されたタイトル情報と、取得されたインデックス情報とに基づいて、再生リストを生成する（再生リスト生成処理）。本実施形態に係る情報処理装置は、本実施形態に係る情報処理方法に係る処理として、例えば、（１）タイトル情報取得処理、（２）インデックス情報取得処理、および（３）再生リスト生成処理を行うことによって、本実施形態に係る再生リストを生成する。
【００２５】
（１）タイトル情報取得処理
本実施形態に係る情報処理装置は、例えば、本実施形態に係る情報処理装置が備える記憶部（後述する）や、サーバなどの外部装置が備える記録媒体、着脱可能な外部記録媒体などから、タイトル情報を取得する。
【００２６】
ここで、本実施形態に係るタイトル情報としては、例えば、番組（コンテンツの一例）のタイトル名や、記録日時、コンテンツのジャンル、登場人物などの番組に関する情報と、画像データの記録アドレスとが対応付けられたデータが挙げられる。本実施形態に係るタイトル情報は、例えば、ＥＰＧ（Electronic  Program  Guide）などから抽出される番組に関する情報を用いて、画像データの記録の際に（または、画像データの記録後に）、生成される。本実施形態に係るタイトル情報は、例えば、本実施形態に係る情報処理装置が生成してもよいし、画像データを記録する装置が生成してもよい。
【００２７】
図２は、本実施形態に係るタイトル情報の一例を示す説明図である。図２では、本実施形態に係るタイトル情報が、再生対象の画像データのタイトル名（図２に示すＴｉｔｌｅ  Ｎａｍｅ）と、当該画像データの記録場所（図２に示すＬｏｃａｔｉｏｎ）とが、再生対象の画像データごとに対応付けられて記録されているテーブルである例を示している。なお、本実施形態に係るタイトル情報は、例えば図２に示すようなテーブル形式のデータに限られず、画像データ単位のデータであってもよい。
【００２８】
本実施形態に係る情報処理装置は、例えば図２に示すようなテーブル形式のデータから、再生対象の画像データに対応するタイトル情報を取得する。より具体的には、本実施形態に係る情報処理装置は、例えば、番組のタイトル名などのような再生対象の画像データを指し示す情報に基づいて、図２に示すテーブル形式のデータから再生対象の画像データに対応するタイトル情報を抽出することによって、再生対象の画像データに対応するタイトル情報を取得する。なお、本実施形態に係る情報処理装置における、再生対象の画像データに対応するタイトル情報の取得方法が、上記に限られないことは、言うまでもない。
【００２９】
再生対象の画像データに対応するタイトル情報を取得することによって、本実施形態に係る情報処理装置は、再生対象の画像データの記録場所を特定することが可能である。よって、本実施形態に係る情報処理装置は、再生対象の画像データに対応するタイトル情報を取得することによって、再生対象の画像データを特定することができる。
【００３０】
（２）インデックス情報取得処理
本実施形態に係る情報処理装置は、例えば、本実施形態に係る情報処理装置が備える記憶部（後述する）や、外部装置が備える記録媒体、着脱可能な外部記録媒体などから、再生対象の画像データに対応するインデックス情報を取得する。
【００３１】
ここで、本実施形態に係るインデックス情報としては、例えば、画像データが示す画像（いわゆるコンテンツ）中における、２Ｄ画像と３Ｄ画像との切り替わり位置を示す検出値などが挙げられる。本実施形態に係るインデックス情報は、画像データを記録媒体に記録する装置において、例えば、処理対象の画像データに対する画像処理や音声処理による、２Ｄ画像と３Ｄ画像との切り替わり位置の検出処理が行われることによって、生成される。ここで、本実施形態に係る２Ｄ画像と３Ｄ画像との切り替わり位置の検出処理としては、例えば、２Ｄ画像と３Ｄ画像との切り替えを判定する処理（画像処理の一例）や、ステレオ音声とモノラル音声との切り替えを判定する処理（音声処理の一例）などが挙げられる。なお、本実施形態に係る２Ｄ画像と３Ｄ画像との切り替わり位置の検出処理は、上記に限られず、２Ｄ画像と３Ｄ画像との切り替わり位置を検出できれば、任意の処理であってもよい。
【００３２】
また、本実施形態に係る２Ｄ画像と３Ｄ画像との切り替わり位置の検出処理は、例えば、フレームごとに行われるが、本実施形態に係る当該検出処理のタイミングは、上記に限られない。また、本実施形態に係るインデックス情報は、例えば、本実施形態に係る情報処理装置が生成してもよいし、画像データを記録する装置が生成してもよい。
【００３３】
図３は、本実施形態に係るインデックス情報の一例を示す説明図である。図３では、本実施形態に係るインデックス情報が、画像データのフレーム区間（図３に示すＦｒａｍｅ  ｉｎｆｏ）と、２Ｄ画像か３Ｄ画像かを示す情報（図３に示す２Ｄ／３Ｄ  ｉｎｆｏ）とが対応付けられて記憶されているテーブルである例を示している。なお、本実施形態に係るインデックス情報が、図３に示す例に限られないことは、言うまでもない。
【００３４】
本実施形態に係る情報処理装置は、例えば図３に示すような再生対象の画像データに対応するインデックス情報を取得する。より具体的には、本実施形態に係る情報処理装置は、例えば、番組のタイトル名などのような再生対象の画像データを指し示す情報に基づいて、インデックス情報のファイル名や、インデックス情報に付されたメタデータを参照することによって、再生対象の画像データに対応するインデックス情報を特定する。そして、本実施形態に係る情報処理装置は、特定されたインデックス情報を記憶部（後述する）などから読み出すことによって、再生対象の画像データに対応するインデックス情報を取得する。なお、本実施形態に係る情報処理装置における、再生対象の画像データに対応するインデックス情報の取得方法が、上記に限られないことは、言うまでもない。
【００３５】
例えば図３に示すようなインデックス情報を取得することによって、本実施形態に係る情報処理装置は、再生対象の画像データにおける、二次元画像区間と三次元画像区間とを特定することができる。
【００３６】
なお、本実施形態に係る情報処理装置におけるインデックス情報の取得方法は、記憶部（後述する）などに記憶されているインデックス情報を、記憶部（後述する）などから読み出すことに限られない。例えば、本実施形態に係る情報処理装置は、（１）の処理（タイトル情報取得処理）において、タイトル情報が示す画像データに対して本実施形態に係る２Ｄ画像と３Ｄ画像との切り替わり位置の検出処理を行って、インデックス情報を生成することによって、インデックス情報を取得することも可能である。
【００３７】
（３）再生リスト生成処理
本実施形態に係る情報処理装置は、上記（１）の処理（タイトル情報取得処理）において取得されたタイトル情報と、上記（２）の処理（インデックス情報取得処理）において取得されたインデックス情報とに基づいて、本実施形態に係る再生リストを生成する。
【００３８】
ここで、本実施形態に係る情報処理装置は、例えば、操作部（後述する）から伝達されるユーザ操作に応じた操作信号や、リモート・コントローラなどの外部装置から送信されたユーザ操作に応じた操作信号に基づいて、ユーザ操作に対応する再生リストを生成する。ここで、再生リストの生成に係るユーザ操作としては、例えば、三次元画像区間のみが再生される再生モードや、二次元画像区間のみが再生される再生モードなどの再生モードを選択する選択操作などが挙げられる。例えば、操作信号が、三次元画像区間のみが再生される再生リストの生成命令を含む場合には、本実施形態に係る情報処理装置は、三次元画像区間のみが再生される再生リスト（例えば図１に示す再生リスト１に相当する再生リスト）を生成する。また、操作信号が、例えば、二次元画像区間のみが再生される再生リストの生成命令を含む場合には、本実施形態に係る情報処理装置は、二次元画像区間のみが再生される再生リスト（例えば図１に示す再生リスト２に相当する再生リスト）を生成する。
【００３９】
なお、本実施形態に係る情報処理装置における再生リスト生成処理は、ユーザ操作に応じた操作信号に基づいて再生リストを生成することに限られない。例えば、本実施形態に係る情報処理装置は、ユーザのジェスチャを認識することによって、認識結果に応じた再生リストを生成することも可能である。
【００４０】
本実施形態に係る情報処理装置は、本実施形態に係る情報処理方法に係る処理として、例えば、上記（１）の処理（タイトル情報取得処理）、上記（２）の処理（インデックス情報取得処理）、および上記（３）の処理（再生リスト生成処理）を行う。ここで、本実施形態に係る情報処理装置は、上記（３）の処理（再生リスト生成処理）において、例えば、インデックス情報に基づき再生対象の画像データにおける再生区間を決定し、タイトル情報に基づき特定される再生対象の画像データに対応する再生リストを生成する。また、本実施形態に係る情報処理装置は、上記（３）の処理（再生リスト生成処理）に係るタイトル情報とインデックス情報とを、上記（１）の処理（タイトル情報取得処理）と上記（２）の処理（インデックス情報取得処理）とにより取得する。
【００４１】
したがって、本実施形態に係る情報処理装置は、二次元画像区間と三次元画像区間とが混在する画像データの再生区間を規定する再生リストを生成することができる。
【００４２】
また、本実施形態に係る情報処理方法に係る処理により生成された本実施形態に係る再生リストに基づいて、再生対象の画像データの再生処理が行われることによって、ユーザの利便性（またはユーザビリティ）の向上や、画像の再生品質の低下防止を図ることができる。
【００４３】
なお、本実施形態に係る情報処理方法に係る処理は、上記（１）の処理（タイトル情報取得処理）〜上記（３）の処理（再生リスト生成処理）に限られない。例えば、本実施形態に係る情報処理装置は、さらに、上記（３）の処理（再生リスト生成処理）によって生成された再生リストに基づいて、再生対象の画像データを再生させてもよい（再生制御処理）。
【００４４】
ここで、本実施形態に係る情報処理装置における、（４）再生制御処理としては、自装置における再生制御に係る処理と、外部装置における再生制御に係る処理とが挙げられる。より具体的には、本実施形態に係る情報処理装置は、例えば、本実施形態に係る情報処理装置が備えるエンコーダ／デコーダに、再生を制御する再生制御信号を伝達することによって、再生リストに基づく再生対象の画像データの再生を行わせる（自装置における再生制御に係る処理の一例）。また、本実施形態に係る情報処理装置は、例えば、ネットワークを介して（あるいは、直接的に）接続された外部装置に対して、再生を制御する再生制御信号を送信させることによって、当該外部装置に、再生リストに基づく再生対象の画像データの再生を行わせる（外部装置における再生制御に係る処理の一例）。なお、本実施形態に係る情報処理装置における再生制御処理が、上記に限られないことは、言うまでもない。
【００４５】
上記のように、本実施形態に係る再生リストに基づいて、再生対象の画像データの再生処理が行われることによって、ユーザの利便性（またはユーザビリティ）の向上や、画像の再生品質の低下防止を図ることが可能である。また、本実施形態に係る情報処理装置が、さらに上記（４）の処理（再生制御処理）を行うことによって、生成した再生リストに基づいて、自装置または外部装置に再生対象の画像データを再生させることができる。
【００４６】
したがって、本実施形態に係る情報処理装置が、さらに上記（４）の処理（再生制御処理）を行うことによって、ユーザの利便性（またはユーザビリティ）の向上や、画像の再生品質の低下防止を図ることができる。
【００４７】
［２］本実施形態に係る情報処理方法に係る処理の一例
次に、本実施形態に係る情報処理方法に係る処理について、より具体的に説明する。図４は、本実施形態に係る情報処理方法に係る処理の一例を示す流れ図である。以下では、本実施形態に係る情報処理装置が、図４に示す処理を行うものとして説明する。ここで、図４では、例えば、ステップＳ１００の処理が、上記（１）の処理（タイトル情報取得処理）に該当し、また、ステップＳ１０２の処理が、上記（２）の処理（インデックス情報取得処理）に該当する。また、図４では、例えば、ステップＳ１０４の処理が、上記（３）の処理（再生リスト生成処理）に該当し、また、ステップＳ１０６の処理が、上記（４）の処理（再生制御処理）に該当する。
【００４８】
本実施形態に係る情報処理装置は、再生対象の画像データに対応するタイトル情報を取得する（Ｓ１００）。ここで、本実施形態に係る情報処理装置は、例えば、記憶部（後述する）などに記憶されているデータから、番組のタイトル名などのような再生対象の画像データを指し示す情報に対応するタイトル情報を特定する。そして、本実施形態に係る情報処理装置は、例えば、特定されたタイトル情報を記憶部（後述する）から読み出すことによって、再生対象の画像データに対応するタイトル情報を取得する。なお、本実施形態に係る情報処理装置におけるステップＳ１００の処理が、上記に限られないことは、言うまでもない。
【００４９】
本実施形態に係る情報処理装置は、再生対象の画像データに対応するインデックス情報を取得する（Ｓ１０２）。ここで、本実施形態に係る情報処理装置は、例えば、記憶部（後述する）などに記憶されているデータから、番組のタイトル名などのような再生対象の画像データを指し示す情報に対応するインデックス情報を特定する。そして、本実施形態に係る情報処理装置は、例えば、特定されたインデックス情報を記憶部（後述する）から読み出すことによって、再生対象の画像データに対応するタイトル情報を取得する。なお、本実施形態に係る情報処理装置におけるステップＳ１０２の処理は、上記に限られない。例えば、本実施形態に係る情報処理装置は、ステップＳ１００の処理によって取得されたタイトル情報により特定される、再生対象の画像データに対して本実施形態に係る２Ｄ画像と３Ｄ画像との切り替わり位置の検出処理を行うことによって、インデックス情報を生成してもよい。
【００５０】
なお、図４では、ステップＳ１００の処理の後に、ステップＳ１０２の処理が行われる例を示しているが、本実施形態に係る情報処理装置における処理は、上記に限られない。例えば、本実施形態に係る情報処理装置は、ステップＳ１００の処理とステップＳ１０２の処理とを独立に行うことも可能である。つまり、本実施形態に係る情報処理装置は、例えば、ステップＳ１０２の処理の後に、ステップＳ１００の処理を行うことができ、また、ステップＳ１００の処理とステップＳ１０２の処理とを同期して行うこともできる。
【００５１】
ステップＳ１００の処理、およびステップＳ１０２の処理が完了すると、本実施形態に係る情報処理装置は、取得されたインデックス情報に基づき再生区間を決定し、タイトル情報に基づき特定される再生対象の画像データに対応する再生リストを生成する（Ｓ１０４）。ここで、本実施形態に係る情報処理装置は、例えば、操作部（後述する）から伝達されるユーザ操作に応じた操作信号などに基づいて、ユーザ操作に対応する再生区間を決定することによって、ユーザ操作に対応する再生リストを生成する。
【００５２】
ステップＳ１０４において再生リストが生成されると、本実施形態に係る情報処理装置は、生成された再生リストに従って、再生対象の画像データにおける再生区間を再生させる（Ｓ１０６）。ここで、ステップＳ１０６の処理としては、例えば、本実施形態に係る情報処理装置が備えるエンコーダ／デコーダに再生制御信号を伝達する処理や、ネットワークを介して（あるいは、直接的に）接続された外部装置に対して、再生を制御する再生制御信号を送信させる処理などが挙げられる。
【００５３】
本実施形態に係る情報処理装置は、例えば図４に示す処理を行うことによって、本実施形態に係る情報処理方法に係る（１）の処理（タイトル情報取得処理）、（２）の処理（インデックス情報取得処理）、（３）の処理（再生リスト生成処理）、および（４）の処理（再生制御処理）を実現する。よって、本実施形態に係る情報処理装置は、例えば図４に示す処理を行うことによって、二次元画像区間と三次元画像区間とが混在する画像データの再生区間を規定する再生リストを生成することができる。
【００５４】
また、本実施形態に係る情報処理装置は、例えば図４に示す処理を行うことによって、生成した再生リストに基づいて、再生対象の画像データを再生させることが可能である。よって、本実施形態に係る情報処理装置は、例えば図４に示す処理を行うことによって、ユーザの利便性（またはユーザビリティ）の向上や、画像の再生品質の低下防止を図ることができる。
【００５５】
なお、本実施形態に係る情報処理方法に係る処理は、図４に示す処理に限られない。例えば、本実施形態に係る情報処理装置は、操作部（後述する）などを用いたユーザ操作により指定された、タイトル情報データとインデックス情報データから、再生リストの生成に用いる、タイトル情報とインデックス情報とを取得することも可能である。
【００５６】
また、本実施形態に係る情報処理装置は、インデックス情報を取得する場合において、例えば、取得されたタイトル情報が示す画像データに対応するインデックス情報を、再生対象の画像データに対応するインデックス情報として取得してもよい。より具体的には、本実施形態に係る情報処理装置は、例えば、取得されたタイトル情報に含まれる情報（例えば、図１に示すＴｉｔｌｅ  Ｎａｍｅなど）を検索キーとすることによって、取得されたタイトル情報が示す画像データに対応するインデックス情報を取得する。
【００５７】
（本実施形態に係る情報処理装置）
次に、上述した本実施形態に係る情報処理方法に係る処理を行うことが可能な、本実施形態に係る情報処理装置の構成の一例について、説明する。
【００５８】
図５は、本実施形態に係る情報処理装置１００の構成の一例を示すブロック図である。情報処理装置１００は、例えば、記憶部１０２と、制御部１０４とを備える。
【００５９】
また、情報処理装置１００は、例えば、ＲＯＭ（Read  Only  Memory。図示せず）や、ＲＡＭ（Random  Access  Memory。図示せず）、サーバなどの外部装置と通信を行う通信部（図示せず）、ユーザが操作可能な操作部（図示せず）、様々な画面を表示画面に表示する表示部（図示せず）などを備えていてもよい。情報処理装置１００は、例えば、データの伝送路としてのバス（bus）により上記各構成要素間を接続する。
【００６０】
ここで、ＲＯＭ（図示せず）は、制御部１０４が使用するプログラムや演算パラメータなどの制御用データを記憶する。ＲＡＭ（図示せず）は、制御部１０４により実行されるプログラムなどを一時的に記憶する。
【００６１】
通信部（図示せず）は、情報処理装置１００が備える通信手段であり、ネットワークを介して（あるいは、直接的に）、サーバなどの外部装置と無線／有線で通信を行う役目を果たす。ここで、通信部（図示せず）としては、例えば、通信アンテナおよびＲＦ（Radio  Frequency）回路（無線通信）や、ＩＥＥＥ８０２．１５．１ポートおよび送受信回路（無線通信）、ＩＥＥＥ８０２．１１ｂポートおよび送受信回路（無線通信）、あるいはＬＡＮ（Local  Area  Network）端子および送受信回路（有線通信）などが挙げられる。また、本実施形態に係るネットワークとしては、例えば、ＬＡＮやＷＡＮ（Wide  Area  Network）などの有線ネットワーク、無線ＬＡＮ（ＷＬＡＮ；Wireless  Local  Area  Network）や基地局を介した無線ＷＡＮ（ＷＷＡＮ；Wireless  Wide  Area  Network）などの無線ネットワーク、あるいは、ＴＣＰ／ＩＰ（Transmission  Control  Protocol/Internet  Protocol）などの通信プロトコルを用いたインターネットなどが挙げられる。
【００６２】
操作部（図示せず）としては、例えば、ボタン、方向キー、ジョグダイヤルなどの回転型セレクター、あるいは、これらの組み合わせなどが挙げられる。なお、情報処理装置１００は、例えば、情報処理装置１００の外部装置としての操作入力デバイス（例えば、キーボードやマウスなど）などの、外部操作デバイスと接続されていてもよい。
【００６３】
表示部（図示せず）としては、例えば、液晶ディスプレイ（Liquid  Crystal  Display；ＬＣＤ）や有機ＥＬディスプレイ（organic  ElectroLuminescence  display。または、ＯＬＥＤディスプレイ（Organic  Light  Emitting  Diode  display）ともよばれる。）などが挙げられる。なお、表示部（図示せず）は、例えばタッチスクリーンなど、表示とユーザ操作とが可能なデバイスであってもよい。また、情報処理装置１００は、例えば、表示デバイスなどの外部表示デバイスと接続されていてもよい。
【００６４】
［情報処理装置１００のハードウェア構成例］
図６は、本実施形態に係る情報処理装置１００のハードウェア構成の一例を示す説明図である。情報処理装置１００は、例えば、ＣＰＵ１５０と、ＲＯＭ１５２と、ＲＡＭ１５４と、不揮発性メモリ１５６と、記録媒体１５８と、光ディスクドライブ１６０と、入力インタフェース１６２と、チューナ１６４と、エンコーダ／デコーダ１６６と、暗号処理回路１６８と、外部記録媒体インタフェース１７０と、オーディオインタフェース１７４とを備える。また、情報処理装置１００は、例えば、データの伝送路としてのバス１７６で各構成要素間を接続する。
【００６５】
ＣＰＵ１５０は、例えば、ＣＰＵ（Central  Processing  Unit）や、各種処理回路などで構成され、情報処理装置１００全体を制御する制御部１０４として機能する。また、ＣＰＵ１５０は、情報処理装置１００において、例えば、後述するタイトル情報取得部１１０、インデックス情報取得部１１２、再生リスト生成部１１４、および再生制御部１１６の役目を果たす。
【００６６】
ＲＯＭ１５２は、ＣＰＵ１５０が使用するプログラムや演算パラメータなどの制御用データなどを記憶する。また、ＲＯＭ１５２には、例えば、ＯＳ（Operating  System）やＢＩＯＳ（Basic  Input／Output  System）、アプリケーションプログラム、その他の各種データが記憶されていてもよい。ＲＡＭ１５４は、例えば、ＣＰＵ１５０により実行されるプログラムなどを一時的に記憶する。
【００６７】
不揮発性メモリ１５６は、例えば、ＣＰＵ１５０により実行されるプログラムや、暗号化や復号などの処理に用いられるデータが記憶される。不揮発性メモリ１５６としては、例えば、ＥＥＰＲＯＭ（Electronically  Erasable  and  Programmable  Read  Only  Memory）などが挙げられる。
【００６８】
記録媒体１５８は、本実施形態に係る情報処理装置１００における記憶手段であり、例えば、画像データや、タイトル情報データ、インデック情報データ、番組のデータ、データ放送用の付加情報データなど、様々なデータが記憶される。記録媒体１５８としては、例えば、ハードディスク（Hard  Disk）などの磁気記録媒体や、フラッシュメモリ（flash  memory）などの不揮発性メモリ（nonvolatile  memory）などが挙げられる。また、記録媒体１５８は、情報処理装置１００から着脱可能であってもよい。記録媒体１５８では、例えば、ＣＰＵ１５０により指定されるコマンドやアドレス情報に基づいて、データの書き込みおよび読み出しの動作が行われる。
【００６９】
光ディスクドライブ１６０は、挿入される光ディスクからのデータの読み出しや、当該光ディスクに対するデータの書き込みを行う。ここで、光ディスクドライブ１６０としては、例えば、ＤＶＤ（Digital  Versatile  Disc）ドライブや、ＢＤ（Blu-ray（登録商標）  Disc）ドライブなどが挙げられる。
【００７０】
入力インタフェース１６２は、例えば、操作部（図示せず）の役目を果たす操作入力デバイス（図示せず）や、表示部（図示せず）の役目を果たす表示デバイスなどを接続する。ここで、入力インタフェース１６２としては、例えば、ＵＳＢ（Universal  Serial  Bus）端子や、ＤＶＩ（Digital  Visual  Interface）端子、ＨＤＭＩ（High-Definition  Multimedia  Interface）端子、各種処理回路などが挙げられる。また、入力インタフェース１６２は、リモート・コントローラなどの外部装置から送信される赤外線信号などの信号を受信する受信回路を備えていてもよい。また、入力インタフェース１６２は、例えば、操作入力デバイス（図示せず）から伝達される操作信号や、外部装置から送信された信号を、ＣＰＵ１５０に伝達する。
【００７１】
チューナ１６４には、例えば、外部のアンテナにより受信された放送波に基づく信号が入力される。チューナ１６４は、例えば、ＣＰＵ１５０からの指示に従って所定の搬送周波数の信号を選択し、選択した信号に対してＱＰＳＫ（Quadrature  Phase  Shift  Keying）復調処理および誤り訂正処理などの処理を行う。そして、チューナ１６４は、例えば、上記処理後のトランスポートストリームからビデオストリームおよびオーディオストリームを分離し、ＣＰＵ１５０の指示に従ってエンコーダ／デコーダ１６６や記録媒体１５８などに、分離したストリームを伝達する。また、チューナ１６４は、例えば、トランスポートストリームからＥＰＧなどのデータ放送用の付加情報や、コピー制御情報、暗号化のための鍵データなどのライセンス情報などを分離し、分離した各種情報をＣＰＵ１５０に伝達する。
【００７２】
エンコーダ／デコーダ１６６は、例えば、ＭＰＥＧ（Moving  Picture  Experts  Group）方式などの所定の符号化方式に従って、ビデオおよびオーディオのデータの圧縮符号化や、伸張復号化処理などの処理を行う。
【００７３】
暗号処理回路１６８は、例えば、著作権保護されたビデオコンテンツを記録媒体間において移動させる際などに必要となる暗号化処理や復号処理を実行する。例えば、暗号処理回路１６８は、記録媒体１５８や、光ディスクドライブ１６０に挿入された光ディスク、外部記録媒体インタフェース１７０に接続された外部記録媒体などに、上記ビデオコンテンツを示すデータを記録する際に、暗号化処理を行う。また、暗号処理回路１６８は、例えば、記録媒体１５８や、光ディスクドライブ１６０に挿入された光ディスク、外部記録媒体インタフェース１７０に接続された外部記録媒体などからデータを読み出す際に、復号処理を行う。
【００７４】
外部記録媒体インタフェース１７０には、例えばメモリカードなどの外部記録媒体が接続され、接続された外部記録媒体からのデータの読み出しや、当該外部記録媒体へのデータの書き込みを行う。
【００７５】
グラフィックインタフェース１７２は、例えば、エンコーダ／デコーダ１６６において復号処理されたビデオデータをアナログ信号に変換し、当該アナログ信号を外部装置に出力する。なお、グラフィックインタフェース１７２は、上記アナログ信号への変換を行わなくてもよい。
【００７６】
オーディオインタフェース１７４は、例えば、エンコーダ／デコーダ１６６において復号処理されたオーディオデータをアナログ信号に変換して、当該アナログ信号を外部装置に出力する。なお、オーディオインタフェース１７４は、上記アナログ信号への変換を行わなくてもよい。
【００７７】
情報処理装置１００は、例えば図６に示す構成によって、本実施形態に係る情報処理方法に係る処理を行う。なお、本実施形態に係る情報処理装置１００のハードウェア構成は、図６に示す構成に限られない。例えば、本実施形態に係る情報処理装置１００は、通信部（図示せず）の役目を果たす通信インタフェースを備えていてもよい。ここで、本実施形態に係る通信インタフェースとしては、例えば、通信アンテナおよびＲＦ回路や、ＬＡＮ端子および送受信回路などが挙げられる。なお、本実施形態に係る通信インタフェースは、上記に限られない。例えば、本実施形態に係る通信インタフェースは、ＵＳＢ端子および送受信回路など通信を行うことが可能な任意の規格に対応する構成や、ネットワークを介して外部装置と通信可能な任意の構成をとることができる。
【００７８】
再度図５を参照して、情報処理装置１００の構成の一例について説明する。記憶部１０２は、情報処理装置１００が備える記憶手段であり、例えば、画像データや、タイトル情報データ、インデック情報データなど、様々なデータが記憶される。ここで、図５では、コンテンツＡに対応するタイトル情報を示すタイトル情報データＡ１２０、コンテンツＢに対応するタイトル情報を示すタイトル情報データＢ１２２、・・・、コンテンツＡに対応するインデックス情報を示すインデックス情報データＡ１２４、コンテンツＢに対応するインデックス情報を示すインデックス情報データＢ１２６、・・・が、記憶部１０２に記憶されている例を示している。なお、記憶部１０２には、タイトル情報データとインデック情報データとが記憶されていなくてもよい。タイトル情報データとインデック情報データとが記憶部１０２に記憶されていない場合であっても、情報処理装置１００は、例えば、ネットワークを介して（あるいは、直接的に）接続されたサーバなどの外部装置から、タイトル情報データとインデック情報データとを取得することが可能である。
【００７９】
また、記憶部１０２としては、例えば、ハードディスクなどの磁気記録媒体や、フラッシュメモリなどの不揮発性メモリなどが挙げられる。
【００８０】
制御部１０４は、例えばＣＰＵなどで構成され、情報処理装置１００全体を制御する役目を果たす。また、制御部１０４は、例えば、タイトル情報取得部１１０と、インデックス情報取得部１１２と、再生リスト生成部１１４と、再生制御部１１６とを備え、本実施形態に係る情報処理方法に係る処理を主導的に行う役目を果たす。
【００８１】
タイトル情報取得部１１０は、上記（１）の処理（タイトル情報取得処理）を主導的に行う役目を果たし、再生対象の画像データを示すタイトル情報を取得する。
【００８２】
インデックス情報取得部１１２は、上記（２）の処理（インデックス情報取得処理）を主導的に行う役目を果たし、再生対象の画像データに対応するインデックス情報を取得する。
【００８３】
再生リスト生成部１１４は、上記（３）の処理（再生リスト生成処理）を主導的に行う役目を果たし、タイトル情報取得部１１０により取得されたタイトル情報と、インデックス情報取得部１１２により取得されたインデックス情報とに基づいて、再生リストを生成する。
【００８４】
ここで、再生リスト生成部１１４が生成する再生リストは、例えば、再生対象の画像データを再生する際に一時的に用いられる、一時的な再生リストであってもよい。なお、本実施形態に係る再生リスト生成部１１４が生成する再生リストは、再生する際に一時的に用いられる一時的な再生リストに限られず、例えば、再生リスト生成部１１４は、生成した再生リストを記憶部１０２などに記録してもよい。また、再生リスト生成部１１４は、例えば、サーバなどの外部装置に、生成した再生リストを示すデータを送信してもよい。
【００８５】
再生制御部１１６は、上記（４）の処理（再生制御処理）を主導的に行う役目を果たし、再生リスト生成部１１４により生成された再生リストに基づいて、再生対象の画像データを再生させる。
【００８６】
制御部１０４は、例えば、タイトル情報取得部１１０、インデックス情報取得部１１２、再生リスト生成部１１４、および再生制御部１１６を備えることによって、本実施形態に係る情報処理方法に係る処理を主導的に行う。
【００８７】
なお、本実施形態に係る制御部の構成は、図５に示す構成に限らない。例えば、本実施形態に係る制御部は、再生制御部１１６を備えない構成をとることも可能である。再生制御部１１６を備えない構成であっても、本実施形態に係る情報処理装置は、本実施形態に係る情報処理方法に係る、上記（１）の処理（タイトル情報取得処理）、上記（２）の処理（インデックス情報取得処理）、および上記（３）の処理（再生リスト生成処理）を行うことが可能である。よって、本実施形態に係る情報処理装置は、再生制御部１１６を備えない構成であっても、二次元画像区間と三次元画像区間とが混在する画像データの再生区間を規定する再生リストを生成することができる。
【００８８】
情報処理装置１００は、例えば図５に示す構成によって、本実施形態に係る情報処理方法に係る処理（例えば、“上記（１）の処理（タイトル情報取得処理）〜上記（３）の処理（再生リスト生成処理）”、または、“上記（１）の処理（タイトル情報取得処理）〜上記（４）の処理（再生制御処理）”）を行う。したがって、情報処理装置１００は、例えば図５に示す構成によって、二次元画像区間と三次元画像区間とが混在する画像データの再生区間を規定する再生リストを生成することができる。また、情報処理装置１００は、例えば図５に示す構成によって、ユーザの利便性（またはユーザビリティ）の向上や、画像の再生品質の低下防止を図ることができる。
【００８９】
なお、本実施形態に係る情報処理装置の構成は、図５に示す構成に限られない。例えば、本実施形態に係る情報処理装置は、本実施形態に係るタイトル情報や本実施形態に係るインデックス情報を生成する、情報生成部をさらに備えていてもよい。ここで、制御部１０４が情報生成部を備えていてもよいし、または、本実施形態に係る情報処理装置が、制御部１０４とは別体の処理回路で構成される情報生成部を備えていてもよい。
【００９０】
また、本実施形態に係る情報処理装置は、上述したように、例えば、再生制御部１１６を備えない構成をとることも可能である。再生制御部１１６を備えない構成であっても、本実施形態に係る情報処理装置は、二次元画像区間と三次元画像区間とが混在する画像データの再生区間を規定する再生リストを生成することができる。
【００９１】
また、本実施形態に係る情報処理装置は、図５に示すタイトル情報取得部１１０、インデックス情報取得部１１２、再生リスト生成部１１４、および再生制御部１１６のうちの１または２以上を個別に備える（例えば、個別の処理回路で実現する）ことができる。
【００９２】
以上のように、本実施形態に係る情報処理装置は、本実施形態に係る情報処理方法に係る処理として、例えば、上記（１）の処理（タイトル情報取得処理）、上記（２）の処理（インデックス情報取得処理）、および上記（３）の処理（再生リスト生成処理）を行う。ここで、本実施形態に係る情報処理装置は、上記（３）の処理（再生リスト生成処理）において、例えば、インデックス情報に基づき再生対象の画像データにおける再生区間を決定し、タイトル情報に基づき特定される再生対象の画像データに対応する再生リストを生成する。また、本実施形態に係る情報処理装置は、上記（３）の処理（再生リスト生成処理）に係るタイトル情報とインデックス情報とを、上記（１）の処理（タイトル情報取得処理）と上記（２）の処理（インデックス情報取得処理）とにより取得する。
【００９３】
したがって、本実施形態に係る情報処理装置は、二次元画像区間と三次元画像区間とが混在する画像データの再生区間を規定する再生リストを生成することができる。
【００９４】
また、本実施形態に係る情報処理装置は、本実施形態に係る情報処理方法に係る処理として、さらに上記（４）の処理（再生制御処理）を行ってもよい。ここで、上述したように、本実施形態に係る再生リストに基づいて、再生対象の画像データの再生処理が行われることによって、ユーザの利便性（またはユーザビリティ）の向上や、画像の再生品質の低下防止を図ることが可能である。また、本実施形態に係る情報処理装置が、さらに上記（４）の処理（再生制御処理）を行うことによって、生成した再生リストに基づいて、自装置または外部装置に再生対象の画像データを再生させることができる。
【００９５】
したがって、本実施形態に係る情報処理装置が、さらに上記（４）の処理（再生制御処理）を行うことによって、ユーザの利便性（またはユーザビリティ）の向上や、画像の再生品質の低下防止を図ることができる。
【００９６】
以上、本実施形態として情報処理装置を挙げて説明したが、本実施形態は、かかる形態に限られない。本実施形態は、例えば、携帯電話やスマートフォンなどの通信装置や、映像／音楽再生装置（または映像／音楽記録再生装置）、ゲーム機、ＰＣ（Personal  Computer）やタブレット型端末、サーバなどのコンピュータ、テレビ受像機などの表示装置、デジタルカメラなどの撮像装置など、再生リストの生成に係る処理を行うことが可能な様々な機器に適用することができる。また、本実施形態は、例えば、上記のような機器に組み込むことが可能な、処理ＩＣ（Integrated  Circuit）に適用することもできる。
【００９７】
また、本実施形態に係る情報処理方法に係る処理は、例えばクラウドコンピューティングなどのように、ネットワークへの接続（または各装置間の通信）を前提とした、複数の装置（例えば、サーバなど）からなる情報処理システムにより実現されてもよい。つまり、本実施形態に係る情報処理方法に係る処理は、例えば、上記情報処理システムを構成する装置によって連携して行われてもよい。
【００９８】
（本実施形態に係るプログラム）
コンピュータを、本実施形態に係る情報処理装置として機能させるためのプログラム（例えば、上記（１）の処理（タイトル情報取得処理）、上記（２）の処理（インデックス情報取得処理）、および上記（３）の処理（再生リスト生成処理）など、本実施形態に係る情報処理方法に係る処理を実行することが可能なプログラム）によって、二次元画像区間と三次元画像区間とが混在する画像データの再生区間を規定する再生リストを生成することができる。
【００９９】
また、コンピュータに、さらに上記（４）の処理（再生制御処理）を実行させるためのプログラムによって、ユーザの利便性（またはユーザビリティ）の向上や、画像の再生品質の低下防止を図ることができる。
【０１００】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１０１】
例えば、上記では、コンピュータを、本実施形態に係る情報処理装置として機能させるためのプログラム（コンピュータプログラム）が提供されることを示したが、本実施形態は、さらに、上記プログラムを記憶させた記録媒体も併せて提供することができる。
【０１０２】
上述した構成は、本実施形態の一例を示すものであり、当然に、本開示の技術的範囲に属するものである。
【０１０３】
なお、以下のような構成も本開示の技術的範囲に属する。
（１）
再生対象の画像データを示すタイトル情報を取得するタイトル情報取得部と、
前記再生対象の画像データに対応する、画像における二次元画像区間と三次元画像区間とを示すインデックス情報を取得するインデックス情報取得部と、
取得された前記タイトル情報と、取得された前記インデックス情報とに基づいて、再生対象の画像データを再生する再生区間を示す再生リストを生成する再生リスト生成部と、
を備える、情報処理装置。
（２）
前記再生リスト生成部が生成する前記再生リストは、再生対象の画像データを再生する際に一時的に用いられる、一時的な再生リストである、（１）に記載の情報処理装置。
（３）
前記再生リスト生成部が生成する前記再生リストは、二次元画像区間のみが再生される再生リスト、三次元画像区間のみが再生される再生リスト、または、二次元画像区間と三次元区間とが混在して再生される再生リストのうちの、１または２以上の再生リストである、（１）または（２）に記載の情報処理装置。
（４）
生成された再生リストに基づいて、再生対象の画像データを再生させる再生制御部をさらに備える、（１）〜（３）のいずれか１つに記載の情報処理装置。
（５）
再生対象の画像データを示すタイトル情報を取得するステップと、
前記再生対象の画像データに対応する、画像における二次元画像区間と三次元画像区間とを示すインデックス情報を取得するステップと、
取得された前記タイトル情報と、取得された前記インデックス情報とに基づいて、再生対象の画像データを再生する再生区間を示す再生リストを生成するステップと、
を有する、情報処理方法。
【符号の説明】
【０１０４】
１００    情報処理装置
１０２    記憶部
１０４    制御部
１１０    タイトル情報取得部
１１２    インデックス情報取得部
１１４    再生リスト生成部
１１６    再生制御部
【図１】
2013150038.tif 000003
【図２】
2013150038.tif 000004
【図３】
2013150038.tif 000005
【図４】
2013150038.tif 000006
【図５】
2013150038.tif 000007
【図６】
2013150038.tif 000008